(57)【要約】  電子ディスプレイのための光学データを遠隔的に監視してユーザに伝えるためのシステムおよび方法。色光センサが、電子ディスプレイの可視領域の前方に配置されるとともに、様々な光学特性を測定してディスプレイが適切に機能しているかどうかを決定するために使用される。ユーザは、ディスプレイが誤動作しているときに知らされてもよい。ディスプレイは、ユーザによるその後の検索のために光学データを局所的に記憶してもよい。ユーザは、ディスプレイとのネットワーク接続を介して光学データにアクセスしてもよい。１つ以上のディスプレイが互いに隣接して配置されてもよく、また、ディスプレイが互いに適合しあるいはディスプレイを調和のとれた配列として使用できるように、ディスプレイの光学特性が測定されて釣り合わされてもよい。特定のビデオセグメントが実際に電子ディスプレイによって表示されたことを確かめるためにウォーターマークを使用できる。
2012518211.tif 000002
【特許請求の範囲】
【請求項１】
電子ディスプレイの性能監視システムであって、
複数の画像形成ピクセルを前面上に有する電子ディスプレイアセンブリと、
前記電子ディスプレイアセンブリの前方に配置される色光センサと、
前記色光センサによって測定される一群のピクセルと、
前記色光センサと電気通信しているネットワーク接続部と、
を備えることを特徴とする電子ディスプレイの性能監視システム。
【請求項２】
前記ネットワーク接続部はインターネットと電気通信している請求項１のシステム。
【請求項３】
前記システムは、更に、前記色光センサと前記電子ディスプレイアセンブリとの間に配置されているホットミラーフィルタを備える請求項１のシステム。
【請求項４】
前記電子ディスプレイアセンブリは液晶ディスプレイである請求項１乃至３のいずれか一項のシステム。
【請求項５】
前記電子ディスプレイアセンブリはＯＬＥＤディスプレイである請求項１乃至３のいずれか一項のシステム。
【請求項６】
電子ディスプレイの性能監視システムであって、
電気バックプレーンと、
前記電気バックプレーンと電気通信しているディスプレイ・コントローラ・アセンブリと、
前記ディスプレイ・コントローラ・アセンブリと電気通信しているとともに、複数の画像形成ピクセルを有している電子ディスプレイアセンブリと、
前記電子ディスプレイアセンブリの前方に配置されているとともに、前記電気バックプレーンと電気通信している色光センサと、
前記ディスプレイ・コントローラ・アセンブリと電気通信しているビデオ入力部と、
前記電気バックプレーンと電気通信しているネットワークインタフェースと、
を備えることを特徴とする電子ディスプレイの性能監視システム。
【請求項７】
前記システムは、更に、前記色光センサの前方に配置されている保護ガラスを備える請求項６のシステム。
【請求項８】
前記システムは、更に、前記電子ディスプレイアセンブリの前部にて一群の画像形成要素を備えており、前記一群の画像形成要素は前記色光センサによって測定される請求項７のシステム。
【請求項９】
前記ネットワークインタフェースはインターネットと電気通信している請求項６のシステム。
【請求項１０】
前記システムは、更に、前記色光センサと前記電子ディスプレイアセンブリとの間に配置されているホットミラーフィルタを備える請求項６乃至９のいずれか一項のシステム。
【請求項１１】
前記システムは、更に、前記ネットワークインタフェースと電気通信しているユーザインタフェースを備える請求項６のシステム。
【請求項１２】
前記ユーザインタフェースはウェブブラウザである請求項１１のシステム。
【請求項１３】
電子ディスプレイの光学的特性を遠隔で監視してユーザに伝えるための方法であって、
複数のピクセルと４つの縁とを有する電子ディスプレイを提供する工程と、
前記電子ディスプレイの前記４つの縁のうちの１つの縁の近傍にある一群のピクセルをウォーターマークとして選択する工程と、
前記ウォーターマークの前方に色光センサを配置する工程と、
前記ウォーターマークでテスト画像を表示する工程と、
前記テスト画像の光学特性を測定して光学データを形成する工程と、
前記電子ディスプレイにおける前記光学データを記憶装置で記憶する工程と、
前記記憶装置とのネットワーク接続を構築する工程と、
を含むことを特徴とする方法。
【請求項１４】
前記方法は、更に、
前記記憶装置と前記ネットワーク接続で電気通信できるウェブアプリケーションをユーザに提供する工程と、
前記ユーザが前記ウェブアプリケーションを介して前記記憶装置から光学データを受信できるようにする工程と、
を含む請求項１３の方法。
【請求項１５】
前記方法は、更に、
前記光学データの許容値の範囲を選択する工程と、
前記光学データと前記許容値の範囲とを比較する工程と、
光学データが前記許容値の範囲から外れるときにユーザに知らせる工程と、
を含む請求項１３の方法。
【請求項１６】
前記テスト画像の形状は無地な色の形状である請求項１３乃至１５のいずれか一項の方法。
【請求項１７】
前記光学データは、輝度、彩度、および、コントラストのうちのいずれか１つである、請求項１３乃至１５のいずれか一項の方法。
【発明の詳細な説明】
【技術分野】
【０００１】
典型的な実施形態は、一般に、実際のディスプレイ性能を監視するために電子ディスプレイの前方に配置される色光センサに関する。
【背景技術】
【０００２】
電子ディスプレイは、主にホームシアターおよびバー／レストランなどの屋内娯楽用途で既に使用されてきている。しかしながら、性能特性および人気が高まるにつれ、現在では、娯楽および情報／広告の両方の目的で、電子ディスプレイが多くの新たな環境において使用されている。ディスプレイは、現在、空港、ショッピングモール、建物の脇、アリーナ／スタジアム、メニューボードにおいて使用され、また、広告標示および／または掲示板として使用される。典型的なディスプレイは、屋内環境および屋外環境のいずれにおいても使用される。
【発明の概要】
【発明が解決しようとする課題】
【０００３】
多くの使用時間が経過すると、最も信頼できる電子ディスプレイであっても、性能が低下しあるいは場合により１つ以上の構成要素が早期に機能しなくなることが知られている。ディスプレイが広告目的で使用される場合、突然の故障または性能の低下は、重大な広告露出の損失、場合により広告会社への収入の損失をもたらす可能性がある。また、ディスプレイが情報のために使用される場合、ディスプレイの故障は、フライトスケジュールや緊急警報などの重大な情報の損失をもたらす場合がある。また、幾つかの用途において、ディスプレイは、特定のレベルの性能（例えば、ガンマ飽和状態、コントラスト、輝度、彩度など）を維持することが求められる。ユーザは、ディスプレイの様々なパラメータを監視して、ディスプレイの性能が低下し始める時期を決定したいと思う場合がある。更にまた、幾つかの用途では、幾つかのディスプレイが互いに近接して（時として、ディスプレイの配列として）使用される場合がある。これらのタイプの用途では、ディスプレイが全体として見て均一に見えるように、それぞれのディスプレイに同様の性能特性を維持させることが好ましい場合がある。
【課題を解決するための手段】
【０００４】
典型的な実施形態は、ウォーターマークを表示して、ディスプレイ内に埋め込まれる１つ以上の色光センサによってウォーターマークの様々な特性を測定する。色光センサは、ディスプレイの任意の数の性能特性に関するフィードバックデータを供給する。データは、ユーザによるその後のアクセスのためにディスプレイ内に内部記憶されてもよく、あるいは、リアルタイムでディスプレイから遠隔記憶装置へ流出されてもよい。データは、ディスプレイの構成部品の一部の故障またはビデオ／音声信号の送信の障害を知らせるために使用することができるとともに、ディスプレイの実際の性能に関する入力を与えることもできる。一部のエンドユーザは自分達のディスプレイの特定の性能特性を求め、また、実施形態は、ディスプレイが要求特性を満たしているかどうかを決定できるデータを収集するのに役立つ。ディスプレイの性能を評価するために多くの方法でデータをプロットして解析することができる。
【０００５】
前述した特徴および他の特徴並びに利点は、添付図面に示されるような本発明の特定の実施形態の以下の更に詳細な説明から明らかとなる。
【０００６】
典型的な実施形態のより良い理解は、以下の詳細な説明および添付図面を読むことにより得られ、図中、同一の参照符号は同一の部分を示す。
【図面の簡単な説明】
【０００７】
【図１】本発明の典型的な実施形態における電気接続の概略図である。
【図２】ディスプレイのアクティブ部の角におけるセンサの配置を示す前平面図である。
【図３Ａ】センサが周囲フレームの背後に配置されるセンサの配置に関する他の実施形態を示す前平面図である。
【図３Ｂ】図３Ａの線３Ｂ−３Ｂに沿う断面を示す断面図である。
【図４】ビデオコンテンツをディスプレイへ送るための概略図である。
【図５】ビデオコンテンツを複数のディスプレイへ送るための概略図である。
【発明を実施するための形態】
【０００８】
図１は、ディスプレイ性能監視システムの一実施形態を含むディスプレイにおける電気的な概略図を示している。ディスプレイアセンブリ１０の前方に色光センサ１５が配置されてもよい。この実施形態において、色光センサ１５は、ディスプレイアセンブリ１０と、ディスプレイを保護し得るあるいは更なる光学特性（反射防止、偏光、光学マッチング、光吸収など）を与え得るフロント・ディスプレイ・プレート１２との間に配置される。ここに示される特定の実施形態はＬＣＤディスプレイと共に使用することができ、その場合、ディスプレイアセンブリ１０がＬＣＤ積層体であってもよく、関連するバックライトアセンブリ１３がＬＣＤ積層体の背後に配置される。無論、他のタイプのディスプレイアセンブリを使用する他の実施形態においては、バックライトアセンブリ１３が不要な場合がある。とりわけ、プラズマを使用する場合には、有機ＬＥＤ、発光ポリマー、電界放出ディスプレイ、および、有機電子発光技術がディスプレイアセンブリ１０として使用される。
【０００９】
ディスプレイアセンブリ１０、色光センサ１５、および、バックライトアセンブリ１３（必要に応じて）は、ディスプレイの様々な構成要素間で通信を行なうことができるバックプレーン２０に接続されてもよい。１つ以上の電源モジュール２２およびディスプレイ・コントローラ・アセンブリ２４がバックプレーン２０と電気通信してもよい。ディスプレイ・コントローラ・アセンブリ２４は、ビデオ受信ユニット、デコンプレッサ、タイミング／制御ボード（ＴＣＯＮ）、および、ディスプレイ・インタフェース・ボード（ＤＩＢ）を含むがこれらに限定されない幾つかの異なる構成要素を含んでもよい。
【００１０】
ディスプレイは幾つかの入出力インタフェースを含んでもよい。ビデオ入力２５は、ビデオソースからビデオデータを受け入れるとともに、バックプレーン２０に接続してもよく、あるいはディスプレイ・コントローラ・アセンブリ２４に直接に接続してもよい。様々なディスプレイ構成要素とユーザとの間で通信を行なうために、ＲＳ２３２インタフェース２６およびイーサネット（登録商標）／ネットワークインタフェース２７が使用されてもよい。ＲＳ２３２インタフェース２６は、標準的なレベルおよび信号を使用して、パーソナルコンピュータへ接続できるようにしてもよい。イーサネット（登録商標）／ネットワークインタフェース２７は、自動感知を行なって、ＰＣまたはネットワークハブへ直接に接続できるようにしてもよい。これらのインタフェース２６、２７のうちの一方または両方を介して、ユーザは、ディスプレイの性能を監視して、様々なディスプレイ設定を変えることができる。電源入力２８は電力をディスプレイ構成要素に供給できる。無論、幾つかの実施形態は、入出力インタフェースの異なる組み合わせを使用してもよい。例えば、幾つかの実施形態は、ビデオ／音声データを受信するとともにディスプレイデータを元のユーザへ通信するための単一のインタフェースを使用してもよい。典型的な実施形態において、これは２方向無線接続または無線ネットワークカードである。他の実施形態は、ＲＳ２３２インタフェース２６を使用することなく、単一のイーサネット（登録商標）／ネットワークインタフェース２７と共に単一のビデオ入力２５を使用するだけでよい。入出力接続の数および形式は、特定の用途に応じて変わることができ、典型的な実施形態の範囲外ではない。
【００１１】
ディスプレイ・コントローラ・アセンブリ２４の１つ以上の構成要素によってウォーターマークが生成されてもよい。ウォーターマークは、色光センサ１５による測定のために色の設定パターンを表示するように選択されるディスプレイアセンブリ１０上の一群の画像形成要素（時として、ピクセル）である。ウォーターマークはディスプレイ上の任意の場所に配置することができるが、色光センサ１５が好ましくはディスプレイアセンブリ１０の可視領域の前方に配置されるべきであるため、ウォーターマークは、好ましくは、画像の乱れが最小で済むようにディスプレイアセンブリ１０の角または縁部近傍に配置されるべきである（ディスプレイ上のウォーターマークの配置については以下で更に述べる）。幾つかの実施形態では、ウォーターマークが正方形／長方形（または、任意の他の形状）の色（例えば、赤（Ｒ）、緑（Ｇ）、青（Ｂ）、または、白（Ｗ））を備えるだけでよい。ウォーターマークは、その特性が色光センサ１５によって測定される間、所定の時間にわたってそれぞれの色を示してもよい。例えば、ウォーターマークは、正方形の以下の色を以下の時間で、すなわち、Ｔ１＝Ｒ、Ｔ２＝Ｇ、Ｔ３＝Ｂ、Ｔ４＝Ｗ、Ｔ５＝Ｒ等で周期的に繰り返してもよい。
【００１２】
１つの実施形態では、ディスプレイが最初に設置されると、ディスプレイが適切に動作していることを決定するためにディスプレイが検査されてもよい。その後、ウォーターマークが表示され始めると、色光センサの測定値がディスプレイの寿命全体にわたる比較のための基準点として記憶されてもよい。測定値が許容範囲から外れたことを色光センサが決定すると、これがユーザに知らされてもよく、また、ディスプレイが特定のパラメータリセットを必要とする場合があり、あるいは場合により修理および／または交換を必要とする場合がある。他の実施形態では、色光センサからの所要の測定値が予め決定されてディスプレイ・コントローラ・アセンブリ内に記憶されてもよい。その後、ディスプレイの寿命中、センサからの測定値がこれらの予め決定された値と比較され、それらの測定値が許容範囲から外れると、エラーがユーザに報告される。
【００１３】
幾つかの実施形態は、エラーをユーザへ直ちに報告しなくてもよく、その代り、ユーザによるその後の検索のためにデータを内部に記憶するだけでもよい。典型的な実施形態では、性能データがウェブブラウザを介してユーザによりアクセスされてもよい。データが検索されて解析されると、ディスプレイが誤動作しており且つ誤動作し続ける場合があり、修理または交換が必要となる可能性があると決定される場合がある。
【００１４】
典型的な実施形態は、ディスプレイの性能に関する一定のフィードバックを与え、ディスプレイが適切に機能していないことをユーザに直ちに知らせることができる。通知は、任意の出力データインタフェースを介してユーザのコンピュータ、携帯電話、または、スマートデバイスへ送られてもよい。イーサネット（登録商標）／ネットワークインタフェース２７を介して様々なインターネット通知をユーザへ送ることができる。通知としては、電子メール、インスタントメッセージ、テキストメッセージ、または、ユーザがアクセスでき且つ多くの異なるディスプレイに関するデータを含んでもよいウェブページを挙げることができる。本明細書中の典型的な実施形態に先立って、ユーザは、実際にユーザが観察しなければ、誤動作しているディスプレイの通知を受けない。ディスプレイは、ユーザが実際に故障に気付く前に暫くの間誤動作していた可能性がある。ある状況では、幾つかのディスプレイパラメータに肉眼で気付くことが困難または不可能であるため、実際の観察が困難な場合がある。また、幾つかの用途では、多くのディスプレイが設置される場合があり、また、それぞれのディスプレイ性能を常に監視することが非常に困難な場合がある。この典型的な実施形態は遠隔位置から絶えず監視することができる。
【００１５】
ディスプレイ・コントローラ・アセンブリ２４は、表示されるべきビデオにかかわらず、同じウォーターマークを生成して表示してもよい。この形式は、ディスプレイ性能パラメータがユーザにとって唯一の主要な関心事であるときに採用されてもよい。あるいは、各ビデオストリームがそれ自体の固有のウォーターマークを含んでもよい。この方法は、各ビデオが表示されている正確な時間を測定すること、およびビデオが実際に特定のディスプレイ上に表示されたことを確認することをユーザが望んだ場合に有益である。これにより、広告会社は、それぞれのクライアントの広告がどのくらいの長さにわたっていずれの特定のディスプレイ上に表示されたのかを正確に決定できる。これは、多くの異なるクライアントのための広告を出すべく多くの異なるディスプレイが使用されるようになっている場合に有益となり得る。また、これは、広告会社のクライアントに対する非常に正確で的確な請求書作成も可能にする。前述したように、広告価格は、ディスプレイの場所、表示される日時、広告が表示された回数に応じて異なり得る。
【００１６】
本明細書中の実施形態は、ＴＣＯＮ、ＤＩＢ、ディスプレイアセンブリ、それらの中間にあるケーブル配線／接続の全て、および、ビデオ／音声信号送受信装置を含むがこれらに限定されない、ディスプレイ構成要素間の通信の障害のほぼ瞬間的な検出を可能にする。適切な動作のためのディスプレイ構成要素の監視に加えて、ガンマ飽和状態、コントラスト、輝度、および、彩度を含むがこれらに限定されない多くの異なるディスプレイパラメータを、本明細書中に記載される実施形態によって監視することができる。
【００１７】
本明細書中に記載されるセットアップの更に進んだ実施形態として、それぞれの色が適切に機能しているかどうかを決定するために、それぞれの色における各ビットレベルが測定されてもよい。例えば、典型的なＬＣＤディスプレイを用いて、それぞれのサブピクセル（赤、緑、および、青）における輝度レベルが８ビットにより（あるいは、特定のディスプレイのためにどのようなビットレベルが使用されようとも）規定されてもよい。したがって、それぞれのサブピクセルはガンマ０（黒）からガンマ２５５（完全ＯＮ）まで変化し得る。この例において赤色サブピクセルを検査するため、ビットは、００００００００（黒）、０００００００１、００００００１０、０００００１００、００００１０００、０００１００００、００１０００００、０１００００００、１０００００００、１１１１１１１１（完全ＯＮ）から変化し得る。赤色サブピクセルを各ビットで駆動させてセンサにより出力を測定することによって、各ビットレベルが適切に機能しているかどうかを決定することができる。無論、これを緑色および青色サブピクセルに関して繰り返すことができる。したがって、この実施形態において、ユーザは、ディスプレイの非常に特異な属性を評価する目的で異なるウォーターマークを厳正に表示するようにディスプレイを駆動させることができる。多くの対応するディスプレイ特性を検査するために、複数の異なるウォーターマークを生み出すことができる。ディスプレイの「検査」および評価は全て遠隔位置から行なうことができる。これにより、ユーザは、遠隔位置から診断して場合により問題を解決することができる。
【００１８】
多くのタイプの色光センサが本明細書中に記載される実施形態と共に機能し得る。典型的な色光センサは、Ｐｌａｎｏ，ＴＸ．ｗｗｗ．ｔａｏｓｉｎｃ．ｃｏｍのＴｅｘａｓ  Ａｄｖａｎｃｅｄ  Ｏｐｔｏｅｌｅｃｔｒｏｎｉｃ  Ｓｏｌｕｔｉｏｎｓ（登録商標）（ＴＡＯＳ）から市販されるＴＣＳ３４０４ＣＳまたはＴＣＳ３４１４ＣＳである。以下の特性、すなわち、ガンマ飽和状態、コントラスト、輝度、彩度のうちのいずれか１つを測定できる任意の光センサが本明細書中の実施形態と共に機能し得る。
【００１９】
ＬＣＤ、プラズマ、ＬＥＤ、有機ＬＥＤ、発光ポリマー、電界放出ディスプレイ、および、有機電子発光を含むがこれらに限定されない様々なディスプレイタイプを、本明細書中に記載される実施形態と共に使用できる。前述したように、これらのディスプレイの一部はバックライトアセンブリを必要としない場合がある。未だ発見されないタイプを含む他のタイプのディスプレイと共に実施形態が使用される場合さえある。
【００２０】
図２は、色光センサ１５を配置するための１つの実施形態を示している。ここでは、センサ１５は、ディスプレイアセンブリ１０のアクティブ部の前方に配置される。センサ１５は、フロント・ディスプレイ・プレートの背後に配置されてもよくあるいは配置されなくてもよい。このセットアップの１つの欠点は、観察者がセンサ１５に気付き得る場合があるという点である。しかしながら、この効果を最小限に抑えるため、センサ１５は、可能な限り小さくなければならずあるいは可能な限りディスプレイの角に近接して配置されるべきである。
【００２１】
図３Ａは、色光センサ１５の配置のための他の実施形態を示している。この実施形態では、ディスプレイアセンブリおよびフロント・ディスプレイ・プレート１２を取り囲むためにフレーム３０が使用される。フレーム３０は、フロント・ディスプレイ・プレート１２に対して水密シールを与えてもよい。断面カットが線３Ｂ−３Ｂとして示されており、また、断面図が図３Ｂに示されている。色光センサ１５はフロント・ディスプレイ・プレート１２とディスプレイアセンブリ１０との間に配置されてもよい。この実施形態において、色光センサ１５は、それを観察者が見ることができないようにフレーム３０の背後に配置されてもよい。この実施形態の欠点は、ディスプレイのアクティブ部の一部がフレーム３０によって覆われるという点である。この場合も先と同様に、この効果を最小限に抑えるために、フレーム３０が可能な限り最小量のアクティブディスプレイを覆うべきである。
【００２２】
無論、当業者は、同じ影響を与えるために多くの異なる場所にセンサを配置できる。前述したように、更なる測定を行なうために、あるいは、場合により異なるウォーターマークを同時に測定するために、複数のセンサを使用することもできる。
【００２３】
図４は、ビデオ（および、時として音声）信号をディスプレイへ送るための１つの実施形態における概略図を示している。この実施形態において、ビデオコンテンツ４０は、（必要に応じて）ビデオコンテンツ４０をその送信前にエンコードしあるいは圧縮してもよい送信装置４１へ送られる。受信装置４３は、有線または無線接続４２を介してビデオ（および、時として音声）コンテンツ４０を受信する。受信装置４３は、別個の構成要素であってもよく、あるいは、ディスプレイ・コントローラ・アセンブリ２４に組み込まれてもよい。受信装置４３またはディスプレイ・コントローラ・アセンブリ２４は、ビデオコンテンツ４０を（必要に応じて）デコードしおよび／または解凍してもよい。ディスプレイコントローラ２４は、その後、ウォーターマークをコントローラデータに挿入してこれをディスプレイアセンブリ１０へ送ってもよい。その後、色光センサ１５は、ウォーターマークを解析して、ウォーターマーク、したがってディスプレイ自体の様々な属性を網羅するデータを戻す。簡単にするため、センサ１５からの電気信号の戻しは図示されない。前述したように、これらの信号（データ）を多くの方法でユーザへ送ることができる。また、送信器４１および受信器４３は互いに２方向で通信してもよく、その場合、両者は、それらが厳密には「送信器」または「受信器」ではなく実際には送信／受信装置であるようにデータを送受信してもよい。
【００２４】
プロセスのこの簡素化を伴っても気付くことができるように、幾つかの接続および多くの構成要素がディスプレイアセンブリ１０へのビデオコンテンツ４０の転送に関与する。これらの接続および構成要素により、実際にユーザによって観察されなければ前もって検出されなかった故障または悪化の機会が知られる。
【００２５】
図５は、有線または無線接続５２を介して送信器５１がビデオコンテンツ５０を幾つかのディスプレイへ送る他の概略図を示している。この実施形態は、ビデオが実際に適切にディスプレイへ送信されて最終的にスクリーン上に表示されたかどうかを決定できる点で重要性を示す。調和して働かなければならない幾つかの構成要素が存在し、また、故障がディスプレイの一部または全てへのビデオの損失をもたらし得る。更に、他の無線システムまたは電磁妨害が、幾つかのディスプレイがビデオ信号を受信してそれを適切に表示することを妨げる可能性もある。ビデオの特定の部分が実際に特定の数のディスプレイ上に表示されたことを幾つかの広告会社が実際に確認できることは重要である。本明細書中の実施形態により、広告会社は、どのビデオセグメントがどのくらいの長さにわたって正確にどのディスプレイ上に表示されたのかを注意深く追跡できる。広告主は、それぞれのディスプレイごとに（その場所に応じて）異なる比率を課すことさえできる。具体的には、それぞれの顧客のビデオセグメントに対するウォーターマークの付加（場合により、各顧客ごとに固有）は、ビデオの特定の部分の測定および検出を可能にする。
【００２６】
また、時として配列を成す互いに近接する幾つかのディスプレイを使用することが望ましい場合がある。これは、構築するおよび／または設置するのが実用的でない可能性があるかなり大型のディスプレイに近づけるために行なわれてもよい。したがって、ユーザは、幾つかの小型ディスプレイを購入して、それらを互いに隣接させて配置することにより大型ディスプレイを形成することができる。これらの場合、それぞれのディスプレイが同様の光学特性を維持して、ディスプレイ間の差異が目立たないようにし且つディスプレイが１つであるかのように見えるようにすることが望ましい場合がある。したがって、ディスプレイ性能監視システムの実施形態を使用して、各ディスプレイが同様の光学特性（例えば、ガンマ飽和状態、コントラスト、輝度、彩度など）を維持するようにすることができる。幾つかの実施形態では、他のディスプレイの縁に隣接するディスプレイのそれぞれの縁に沿って色光センサを配置することが望ましい場合がある。このようにして、それぞれの「境界縁」に沿う光学特性を制御して、隣接するディスプレイ間の目に見える差異を最小限に抑えることができる。
【００２７】
屋外でおよび／または明るい周囲環境でディスプレイが使用される幾つかの用途では、周辺光がディスプレイアセンブリに反射して色光センサに入ることが分かってきた。これらの用途では、色光センサが光で過飽和状態となる場合があり、それにより、色光センサがディスプレイアセンブリの光学性能を正確に読み取ることができない場合がある。これらの状況では、色光センサとディスプレイアセンブリとの間にフィルタを配置することがこれらの問題の一部または全てを軽減し得ることが分かってきた。典型的な実施形態は「ホットミラー」タイプのＩＲフィルタを使用してもよい。幾つかの実施形態は、６００−６５０ナノメートルよりも長い波長を有する電磁放射線を除去しあるいは減少させる任意のタイプのフィルタを使用してもよい。
【００２８】
好ましい実施形態を図示して説明してきたが、当業者であれば分かるように、記載された実施形態に影響を及ぼすために多くの変形および改良を成すことができ、これらも請求項に記載の発明の範囲内に入る。また、前述した要素の多くは、変更されてもよく、あるいは同じ結果を与えて請求項に記載の発明の思想内に入る異なる要素と置き換えられてもよい。したがって、本発明を特許請求の範囲によって示されるようにのみ限定しようとするものである。
【図１】
2012518211.tif 000003
【図２】
2012518211.tif 000004
【図３Ａ】
2012518211.tif 000005
【図３Ｂ】
2012518211.tif 000006
【図４】
2012518211.tif 000007
【図５】
2012518211.tif 000008
【国際調査報告】
2012518211.tif 000009
2012518211.tif 000010